(57)【要約】【課題】本発明は、電子拡大鏡に関するもので、本、雑誌、新聞などの読み取り対象物の損傷防止を図ることを目的とするものである。【解決手段】そしてこの目的を達成するために本発明は、本体ケース１と、この本体ケース１の上面側に設けた表示部２と、この本体ケース１の下面側に設けた読み取り部３と、この読み取り部３で読み取った画像を拡大して前記表示部に表示させる制御部４と、前記本体ケース１の下面側に設けた平面脚１４とを備え、前記平面脚１４は、本体ケース１の下面側に設けた凹部１ｂ内に設け、この平面脚１４の下面側の中央部をこの凹部１ｂよりも下方に突出させるとともに、この下面の周縁部は凹部１ｂ内に配置し、この周縁部から前記中央部までの面を曲面、あるいは、傾斜面とした。【選択図】図１１
2010161685.tif 000002
【特許請求の範囲】
【請求項１】
本体ケースと、この本体ケースの上面側に設けた表示部と、この本体ケースの下面側に設けた読み取り部と、この読み取り部で読み取った画像を拡大して前記表示部に表示させる制御部と、前記本体ケースの下面側に設けた脚とを備え、
前記脚は、本体ケースの下面側に設けた凹部内に設け、この脚の下面側の中央部をこの凹部よりも下方に突出させるとともに、この下面の周縁部は凹部内に配置し、この周縁部から前記中央部までの面を曲面、あるいは、傾斜面とした電子拡大鏡。
【請求項２】
本体ケースは、カーボン入りの樹脂で形成し、脚は非カーボン入りの樹脂で形成した請求項１に記載の電子拡大鏡。
【請求項３】
本体ケースの外表面は、塗装面とし、脚の外表面は、非塗装面とした請求項２に記載の電子拡大鏡。
【発明の詳細な説明】
【技術分野】
【０００１】
本発明は、電子拡大鏡に関するものである。
【背景技術】
【０００２】
電子拡大鏡は、弱視者が本や新聞などを気楽に楽しむために、その需要が徐々に高まっており、その構成としては、以下の様なものとなっていた。
【０００３】
すなわち、本体ケースと、この本体ケースの上面側に設けた表示部と、この本体ケースの下面側に設けた読み取り部と、この読み取り部で読み取った画像を拡大して前記表示部に表示させる制御部とを備えた構成となっていた。
【０００４】
そして、この構成において、例えば本を読む場合には、本の上に本体ケースを載せ、この本体ケースの下面側に設けた脚を立てることで、この本体ケースを読み取り面に対して、９０度よりも小さな角度で傾斜立設させ、読みやすくしていた。
【０００５】
つまり、この電子拡大鏡は、老眼鏡や虫眼鏡よりも拡大率が大きく、その分読みやすくなることで高い評価を受けているものである（たとえば下記特許文献１）。
【特許文献１】特開２００６−２５４２７１号公報
【発明の開示】
【発明が解決しようとする課題】
【０００６】
上記従来例における課題は、本、雑誌、新聞などの読み取り対象物の損傷が発生するということであった。
【０００７】
すなわち、前記従来例においては、この電子拡大鏡を用いて、たとえば本を読む場合、本体ケースを読み取り対象物の上に置き、この状態で、本体ケースを読み取り対象物の上を左右上下に滑らせて移動させることで、読みたい文章などを読むようにしている。
【０００８】
この場合、本体ケースを左右上下に滑らす際に、この本体ケースの下面側に設けた脚が読み取り対象物の紙端に衝突状態で移動するので、このような本体ケースを何度も左右上下に滑らすうちに、読み取り対象物の紙端が大きく損傷してしまうのであった。
【０００９】
そこで本発明は、本、雑誌、新聞などの読み取り対象物の損傷防止を図ることを目的とするものである。
【課題を解決するための手段】
【００１０】
そして、この目的を達成するために本発明は、本体ケースと、この本体ケースの上面側に設けた表示部と、この本体ケースの下面側に設けた読み取り部と、この読み取り部で読み取った画像を拡大して前記表示部に表示させる制御部と、前記本体ケースの下面側に設けた脚とを備え、前記脚は、本体ケースの下面側に設けた凹部内に設け、この脚の下面側の中央部をこの凹部よりも下方に突出させるとともに、この下面の周縁部は凹部内に配置し、この周縁部から前記中央部までの面を曲面、あるいは、傾斜面とし、これにより所期の目的を達成するものである。
【発明の効果】
【００１１】
以上のように本発明は、本体ケースと、この本体ケースの上面側に設けた表示部と、この本体ケースの下面側に設けた読み取り部と、この読み取り部で読み取った画像を拡大して前記表示部に表示させる制御部と、前記本体ケースの下面側に設けた脚とを備え、前記脚は、本体ケースの下面側に設けた凹部内に設け、この脚の下面側の中央部をこの凹部よりも下方に突出させるとともに、この下面の周縁部は凹部内に配置し、この周縁部から前記中央部までの面を曲面、あるいは、傾斜面としたものであるので、読み取り対象物の損傷防止を図ることができる。
【００１２】
すなわち、本発明の脚は、本体ケースの下面側に設けた凹部内に設け、この脚の下面側の中央部をこの凹部よりも下方に突出させるとともに、この下面の周縁部は凹部内に配置し、この周縁部から前記中央部までの面を曲面、あるいは、傾斜面としたものであるので、本体ケースを読み取り対象物の上を左右上下に滑らせた場合、この読み取り対象物の紙端が当接するのは、脚の周縁部から前記中央部までの曲面、あるいは、傾斜面となるので、この紙端を損傷させることの無いものとなる。
【発明を実施するための最良の形態】
【００１３】
以下、本発明の一実施形態を添付図面を用いて説明する。
【００１４】
本実施形態の電子拡大鏡は、図１から図３に示すように、長方形体の本体ケース１と、この本体ケース１の上面側に設けた液晶表示部２と、この本体ケース１の下面側に設けた読み取り部３と、この読み取り部３で読み取った画像を拡大して前記液晶表示部２に表示させる制御部４（図４）とを備えている。
【００１５】
本体ケース１の上面側には、図１に示すように電源ランプ５、ズーム用のスイッチ６、カーソル移動用のスイッチ７が設けられている。
【００１６】
また、この図１に示すように、本体ケース１の上辺側には、フォーカスやリターンを行うスイッチ８と、シャッター用のスイッチ９が設けられている。
【００１７】
さらに、この図１に示すように、本体ケース１の右辺側には、メニュー用のスイッチ１０と、電源用のスイッチ１１が設けられている。このうち、メニュー用のスイッチ１０は、各種メニューを次々に液晶表示部２に表示させ、その表示内容の選択は、スイッチ７の右片７ａ、上片７ｂ、左片７ｃ、下片７ｄにより、選択決定されるようになっている。
【００１８】
また、本体ケース１の下面側には、図２に示すごとく前記読み取り部３が設けられ、その外周には、照明用のＬＥＤ１２が４個設けられている。さらに、これらＬＥＤ１２の外方には、スタンド脚１３が設けられている。また、この本体ケース１の下面側の外方４方には、平面脚１４が設けられている。
【００１９】
また、この図２に示すごとく本体ケース１の左辺側には、読み取りの遠近切り換え用のスイッチ１５と、読み取りと再生を切り換えるためのスイッチ１６が設けられている。
【００２０】
さらに、本体ケース１の下辺側には、本体ケース１にストラップ（図示せず）を取り付けるための取り付け部１７と、液晶表示部２のコントラスト調整用のスイッチ１８と、液晶表示部２の表示内容のカラー切り替えを行うためのスイッチ１９が設けられている。
【００２１】
前記制御部４には、図４に示すごとく読み取り部３で読み取った画像データを、画像格納部２０を介して記憶する外部メモリ２１や、前記スイッチ６、７、８、９、１０、１１、１５、１６、１８、１９や、液晶表示部２が接続されており、その内部は、マイコン（ＣＰＵ）２２、画像移動処理部２３、拡大処理部２４、バー表示手段２５、バー傾斜手段２６を有している。
【００２２】
なお、画像格納部２０と外部メモリ２１は、画像記録制御部２７を介して接続されており、画像格納部２０に格納された画像データは、この画像記録制御部２７を介して、外部メモリ２１に記録される構成となっている。
【００２３】
また、前記バー表示手段２５とバー傾斜手段２６は、表示駆動部２８内に設けられ、この表示駆動部２８とマイコン２２間には、表示生成部２９が接続されている。
【００２４】
上記構成において、例えば、新聞記事を読む時の操作について説明する。
【００２５】
まず、この場合、スイッチ１１を長押し（約２秒）し、電源を入れ、電源ランプ５を点灯させる。
【００２６】
つぎに、新聞や本を読むために、スイッチ８を切り換え、接写モードに切り換える。
【００２７】
その後、スイッチ１６により、撮影モードに切り換える。
【００２８】
そして、その状態で、本体ケース１を、液晶表示部２を上にして、新聞紙の読みたい記事の上に置く。
【００２９】
つぎに、スイッチ８を押すことで、読み取り部３を新聞記事に対してピントを合わせる。
【００３０】
この状態で、スイッチ９を押すと、図５のごとく液晶表示部２には、読み取った新聞記事が表示される。またこれと同時に、読み取り部３で読み取った画像データは、画像格納部２０および外部メモリ２１に記録される。
【００３１】
このようにして読み取った新聞記事を読むときは、スイッチ６の大径部６ａを操作することで、最大１０倍以上に拡大され、その状態が図６に示す状態となる。
【００３２】
つまり、スイッチ６を押すことで、図４の画像移動処理部２３により、図５に示すごとく、記事が拡大された状態で切り出され、この状態で使用者は新聞記事を読むことになる。
【００３３】
なお、スイッチ６の小径部６ｂを操作すれば、この切り出しが小さく、つまり、図５における液晶表示部２内に、より多くの文字が表出することになる。
【００３４】
さて、図５、図６は、読みたい新聞記事の上に本体ケース１を適切に置いた状態であるが、使用者がこの新聞記事の上本体ケース１を斜めに置いてしまった場合には、これを読むために上記スイッチ６の大径部６ａを操作すると、図７に示すごとく液晶表示部２内には、新聞記事が斜めに表示される。
【００３５】
この状態で、その新聞記事を読むために、スイッチ７の右片７ａを操作すると、液晶表示部２内の新聞記事は、右側にスクロールされていく。
【００３６】
ところが、この図７からも明らかなように、たとえば、一番上段の行の「ｃｄｅｆｇｈｉｊｋ」までは、読み取れるが、それ以降の「ｌｍｎｏ」などは、液晶表示部２から消失してしまう。
【００３７】
そこで、従来は、この時、使用者は、スイッチ７の上片７ｂを操作することで、液晶表示部２内を上方にスクロールし、消失してしまった「ｌｍｎｏ」を読まなければならず、極めて不便なものであった。
【００３８】
そこで、本実施形態では、図８に示すごとく、このように新聞記事が斜めになってしまった場合には、図１のスイッチ１０を操作することで、図４のバー表示手段２５を駆動させ、図８に示すスクロール方向決定バー３０（この時は、図８において破線で示すもの）を、液晶表示部２内に表示させる。
【００３９】
つぎに、スイッチ７の上片７ｂを操作することで、図４のバー傾斜手段２６を駆動させ、このスクロール方向決定バー３０（この時は、図８において破線で示すもの）を、図８に示す実線のスクロール方向決定バー３０ごとく右側を上方に、左側を下方に傾斜させ、その状態でスイッチ７を押せば、この実線状態のスクロール方向決定バー３０が設定される。
【００４０】
つまり、この斜めになった実線状態のスクロール方向決定バー３０が液晶表示部２内における右方へのスクロール方向に設定されるのである。
【００４１】
さてこの状態で、斜めになった新聞記事を読む場合、まず、スイッチ１０を操作することで、液晶表示部２内から、図８の実線のスクロール方向決定バー３０を消失させ、この状態で、図１のスイッチ７の右片７ａを押せば、図８における上段の「〜ｃｄｅｆｇｈｉｊｋ」を読んでいけば、今、この図８では消えている「ｌｍｎｏ〜」が、今、図８の「〜ｃｄｅｆｇｈｉｊｋ」に登場し、つまり、斜めの記事も連続的に読むことができ、きわめて利便性の高いものとなる。
【００４２】
さて、この「〜ｃｄｅｆｇｈｉｊｋｌｍｎｏ〜」の行を読み取った後は、スイッチ７の左片７ｃを押すことで、図７を左方にスクロールし、つぎに、スイッチ７の下片７ｄを操作することで、下方にスクロールし、これにより次段の「〜ＢＣＤＥＦＧＨＩＪＫＬＭＮＯ〜」を続けて簡単に読むことができる。
【００４３】
以上のごとく、本実施形態においては、液晶表示部２内にスクロール方向決定バー３０を表出させ、しかも、それを傾斜設定することで、液晶表示部２内のスクロール方向を傾斜方向にスクロールさせることであり、そのために、バー表示手段２５、バー傾斜手段２６、スクロールのためのスイッチ７（右片７ａ、上片７ｂ、左片７ｃ、下片７ｄ）を設け、それをマイコン２２で制御する構成としている。
【００４４】
また、本実施形態においては、液晶表示部２において、画面を間欠的にスクロールすることで、視認性を向上させている。
【００４５】
具体的には、図４に示すごとく制御部４内の液晶表示部２への出力部に間欠スクロール手段３１を設け、スイッチ７によるスクロール指令がマイコン２２に入力された場合に、この間欠スクロール手段３１が動作し、これにより液晶表示部２に表示された画面は間欠的（たとえば１／３０秒間隔）にスクロールされ、その結果として液晶表示部２における画面の文字流れなどは発生せず、極めて視認性の高いものとなる。
【００４６】
特に、本電子拡大鏡を使用する弱視者などにとっては、この間欠スクロールによる文字流れの防止は、視認性が高まることで、本や新聞などを落ち着いて読めることにつながることとなる。
【００４７】
また、本実施形態においては、図９に示すごとく液晶表示部２の両端（この例では、左右端としているが、文章が上下方向に書かれている場合には、上下端となる）に、読み出し始端設定マーク３２と読み出し終端設定マーク３３を設けている。
【００４８】
すなわち、本実施形態においては、図６や図７に示すごとく液晶表示部２内の画像を拡大した後に、読み出しの始点側、たとえば図６の液晶表示部２の左側に、図９に示す読み出し始端設定マーク３２を表示させる。
【００４９】
この読み出し始端設定マーク３２の表示は、図６に示すごとく、拡大後の画像の読み出し始点側を液晶表示部２の左端側にスクロールさせた状態で、スイッチ８を２秒間長押しすると、図４の表示生成部２９により、図９に示すごとく、液晶表示部２の左端側に読み出し始端設定マーク３２が表示される。
【００５０】
つぎに、図６の状態から液晶表示部２内の画像を読み出し方向である右方にスクロールし、その読み出し終端に到達した時点で、スイッチ９を２秒間長押しすると、図４の表示生成部２９により、図９に示すごとく、液晶表示部２の右端側に読み出し終端設定マーク３３が表示される。
【００５１】
このように、液晶表示部２の左端側に読み出し始端設定マーク３２を表示させ、液晶表示部２の右端側に読み出し終端設定マーク３３を表示させた状態で、スイッチ７の右片７ｃを操作して、液晶表示部２の画像を左方にスクロールすれば、その左方へのスクロールは、当初読み出し始点として設定した読み出し始端設定マーク３２で停止する。
【００５２】
したがって、使用者は、ここからスイッチ７の右片７ａを操作することで、液晶表示部２の画像を右方にスクロールしながら文章を読んでいく。
【００５３】
この右方へのスクロールが、読み出し終点として設定した上記読み出し終端設定マーク３３に到達すると、この右方へのスクロールは停止し、この時点で使用者は、スイッチ８を押すことで、液晶表示部２内の画像を読み出し始端設定マーク３２までリターンさせることができる。
【００５４】
したがって、使用者は、このリターン後にスイッチ７の下片７ｄを操作することで、下段の文章にスクロールし、その状態でスイッチ７の右片７ａを操作して、液晶表示部２内の画像を右方にスクロールしながら文章を読んでいくことになる。
【００５５】
以降は、同じようにしながら最下段の文章まで読み出していくことになるのであるが、以上の説明で理解されるように、本実施形態においては、読み出している行の読み出し終点に到達すると、読み出し終端設定マーク３３で右方へのスクロールが停止し、この時点でスイッチ８を操作することで、読み出し始端設定マーク３２までリターンさせることができるので、使用者はスイッチ７の下片７ｄを操作することで、簡単に次段へのスクロールが完了し、極めて利便性の高いものとなる。
【００５６】
なお、本実施形態における読み出し始端設定マーク３２および読み出し終端設定マーク３３は、液晶表示部２の両端において、複数（２本）の帯を並設し、帯の長手方向においては、隣接する帯間で色別差を設けている。
【００５７】
具体的には、各帯の長手方向において、断続的に白黒の色別差を設け、隣接する帯間でもこの白黒の色別差を設けているのである。
【００５８】
これは、ちょうど、市松模様とかチェッカーフラグの状態となっており、このことが液晶表示部２内の画像と、これら読み出し始端設定マーク３２および読み出し終端設定マーク３３との差異を明確にすることに大いに役立っている。
【００５９】
また、本実施形態においては、スイッチ１９により、液晶表示部２に表示された識別情報と背景情報の色を、それぞれ変更する色変更手段（図示せず）を設けているので、この色変更手段の動作時には、読み出し始端設定マーク３２および読み出し終端設定マーク３３の色も変更することができる。
【００６０】
なお、マイコン２２には、図示していないが、プログラムを格納したＲＯＭが設けられており、以上の動作は、このＲＯＭ内に格納されたプログラムにより実行される。
【００６１】
またスタンド脚１３は、以下のような構成となっている。
【００６２】
すなわち、図２に示すごとく本体ケース１の下面側には、本体ケース１を図１０に示すごとく９０度よりも小さな角度で傾斜立設させるための、上述したスタンド脚１３が設けられており、このスタンド脚１３の構成は以下のような構成となっている。
【００６３】
このスタンド脚１３は、図１０に示すように９０度よりも小さな角度で傾斜立設した本体ケース１の立設高さ方向の中心よりも下方に、水平方向の軸支部１３ａを有し、この軸支部１３ａの両端から、図２からも理解されるように、前記本体ケース１の立設高さ方向の中心よりも上方に伸延部１３ｂを有している。
【００６４】
そして、読む本の上に本体ケース１を９０度よりも小さな角度で傾斜立設することで、読みやすくしようとした場合、この上方への伸延部１３ｂを、図２の状態から図１０の状態へと、前記軸支部１３ａを中心に、前記本体ケース１の立設高さ方向の中心よりも下方に回動させる。
【００６５】
この状態で、伸延部１３ｂの先端（図２では最上端となっているが、回動後は図１０における最下端）を本の上面に当接させれば、この本体ケース１は、上述のごとく、読む本の上に本体ケース１を９０度よりも小さな角度で傾斜立設することになるので、使用者は上端が後方に傾斜した表示部２を見ることで、本を容易に読むことができる。
【００６６】
そして、この状態において、使用者が本体ケース１に誤って過大な力を加えてしまった場合には、スタンド脚１３の伸延部１３ｂは、図１０の状態から図２の状態へと回動するだけで、つまり、スタンド脚１３が閉じられた状態になるだけで、このスタンド脚１３が、損傷してしまうことはない。
【００６７】
したがって、再度この伸延部１３ｂを図２の状態から図１０の状態に回動させれば、本体ケース１を再び上述した９０度よりも小さな角度で傾斜立設させることができ、極めて使い勝手の良い、操作性の良いものとなる。
【００６８】
なお、伸延部１３ｂは、軸支部１３ａの両端から伸延させたものであるが、図２、図１０から明らかなように、左右の伸延部１３ｂを結ぶ部分には、読み取り部３が存在しているので、この読み取り部３に対する読み取り障害を起こさせないため、この上端間を結ぶ上辺１３ｃは、図２のごとく読み取り部３の両側で、軸支部１３ａ側に向かい、読み取り部３の軸支部１３ａ側で、この軸支部１３ａに対して平行状態で結束した形状としている。
【００６９】
また、本体ケース１の下面側でスタンド脚１３の伸延部１３ｂで、上記平行状態で結束した上辺１３ｃと軸支部１３ａは、本体ケース１に設けた窪み１ａ内に設け、これによりこれらの上辺１３ｃと軸支部１３ａが読み取り部３に対して大きく下面側に突出し、この読み取り部３の読み取りに障害を起こさせないようにしている。
【００７０】
以下、本実施形態の最も特徴となる平面脚１４について説明する。
【００７１】
これら平面脚１４は、図１０、図１１に示すように本体ケース１の下面側の四箇所に設けられている。
【００７２】
本体ケース１の前記平面脚１４を設ける部分には、図１１から図１３で理解されるように、溝状の凹部１ｂが設けられ、この凹部１ｂ内に平面脚１４が設けられている。
【００７３】
このとき、特徴的なのは、凹部１ｂ内に設けられた平面脚１４の下面側の中央部は、図１２、図１３のごとく凹部１ｂ外に突出しているが、この平面脚１４の下面側の周縁部は、図１２ｃ、図１３ｂからも理解されるように凹部１ｂ内に配置され、これら周縁部と中央部を結ぶ面は曲面あるいは傾斜面としていることである。
【００７４】
つまり、本体ケース１を図１０のごとく、本や雑誌や新聞などの読み取り対象物に傾斜立設させて読む場合と、スタンド脚１３を図１１のごとく閉じ、この状態で本体ケース１を読み取り対象物の上面を滑らせて文章を読む場合がある。
【００７５】
そして、このように、スタンド脚１３を図１１のごとく閉じ、この状態で本体ケース１を読み取り対象物の上面を滑らせて文章を読む場合には、平面脚１４の中央部が紙面上を滑ることになるのであるが、読み取り対象物の紙端が当接するのは、この平面脚１４の上記曲面あるいは、傾斜面となるので、この時でも、読み取り対象物の紙端を損傷させることはない。
【００７６】
なお、本体ケース１は、強度を高めるため、あるいは不要輻射を抑制するため、あるいは静電気対策のために、カーボン入りの樹脂で形成しているが、平面脚１４は非カーボン入りの樹脂で形成している。
【００７７】
つまり、本体ケース１をこのようなカーボン入りの樹脂樹脂で形成した場合には、この本体ケース１の外表面は、塗装面としているが、平面脚１４は、非カーボン入りの樹脂で形成しているので、非塗装面としている。
【００７８】
このため、平面脚１４を読み取り対象物の上面を滑らせても、読み取り対象物の上面や紙端を損傷させたり汚したりすることの少ないものと出来る。
【００７９】
つまり、この平面脚１４を非カーボン入りの樹脂で形成すれば、その表面をより平滑面とすることができるので、読み取り対象物の上面や紙端を損傷させることが少なくなる。
【００８０】
また、この平面脚１４の表面を非塗装面とすれば、塗装の脱落付着により、読み取り対象物の上面や紙端を汚したりすることの少ないものと出来るのである。
【００８１】
なお、図１１に示すごとく本体ケース１を図１０のごとく、傾斜立設させる場合に、この平面脚１４が傾斜立設時の下端立設面となるごとく、平面脚１４には、支持部１４ａを一体に設けている。
【産業上の利用可能性】
【００８２】
以上のように本発明は、本体ケースと、この本体ケースの上面側に設けた表示部と、この本体ケースの下面側に設けた読み取り部と、この読み取り部で読み取った画像を拡大して前記表示部に表示させる制御部と、前記本体ケースの下面側に設けた脚とを備え、前記脚は、本体ケースの下面側に設けた凹部内に設け、この脚の下面側の中央部をこの凹部よりも下方に突出させるとともに、この下面の周縁部は凹部内に配置し、この周縁部から前記中央部までの面を曲面、あるいは、傾斜面としたものであるので、読み取り対象物の損傷防止を図ることができる。
【００８３】
すなわち、本発明の脚は、本体ケースの下面側に設けた凹部内に設け、この脚の下面側の中央部をこの凹部よりも下方に突出させるとともに、この下面の周縁部は凹部内に配置し、この周縁部から前記中央部までの面を曲面、あるいは、傾斜面としたものであるので、本体ケースを読み取り対象物の上を左右上下に滑らせた場合、この読み取り対象物の紙端が当接するのは、脚の周縁部から前記中央部までの曲面、あるいは、傾斜面となるので、この紙端を損傷させることの無いものとなる。
【００８４】
したがって、電子拡大鏡として、広く活用が期待されるものである。
【図面の簡単な説明】
【００８５】
【図１】本発明の一実施形態を示す上面側からの斜視図
【図２】本発明の一実施形態を示す下面側からの斜視図
【図３】本発明の一実施形態を示す下方側からの斜視図
【図４】本発明の一実施形態を示す制御部のブロック図
【図５】本発明の一実施形態を示す液晶表示部の上面図
【図６】本発明の一実施形態を示す液晶表示部の上面図
【図７】本発明の一実施形態を示す液晶表示部の上面図
【図８】本発明の一実施形態を示す液晶表示部の上面図
【図９】本発明の一実施形態を示す液晶表示部の上面図
【図１０】本発明の一実施形態を示す背面側からの斜視図
【図１１】本発明の一実施形態を示す下面図
【図１２】（ａ）は、図１１のＡ−Ａ断面図（ｂ）は、（ａ）のＡ部拡大断面図（ｃ）は、（ｂ）のＢ部拡大断面図
【図１３】（ａ）は、図１１のＢ−Ｂ断面図（ｂ）は、（ａ）のＡ部拡大断面図（ｃ）は、（ａ）のＢ部拡大断面図
【符号の説明】
【００８６】
１  本体ケース
１ａ  窪み
１ｂ凹部
２  液晶表示部
３  読み取り部
４  制御部
５  電源ランプ
６  スイッチ
６ａ  スイッチ６の大径部
６ｂ  スイッチ６の小径部
７  カーソルボタン
７ａ  スイッチ７の右片
７ｂ  スイッチ７の上片
７ｃ  スイッチ７の左片
７ｄ  スイッチ７の下片
８  スイッチ
９  スイッチ
１０  スイッチ
１１  スイッチ
１２  ＬＥＤ
１３  スタンド脚
１３ａ  軸支部
１３ｂ  伸延部
１３ｃ  上辺
１４  平面脚
１４ａ  支持部
１５  スイッチ
１６  スイッチ
１７  取り付け部
１８  スイッチ
１９  スイッチ
２０  画像格納部
２１  外部メモリ
２２  マイコン（ＣＰＵ）
２３  画像移動処理部
２４  拡大処理部
２５  バー表示手段
２６  バー傾斜手段
２７  画像記録制御部
２８  表示駆動部
２９  表示生成部
３０  スクロール方向決定バー
３１  間欠スクロール手段
３２  読み出し始端設定マーク
３３  読み出し終端設定マーク
【図１】
2010161685.tif 000003
【図２】
2010161685.tif 000004
【図３】
2010161685.tif 000005
【図４】
2010161685.tif 000006
【図５】
2010161685.tif 000007
【図６】
2010161685.tif 000008
【図７】
2010161685.tif 000009
【図８】
2010161685.tif 000010
【図９】
2010161685.tif 000011
【図１０】
2010161685.tif 000012
【図１１】
2010161685.tif 000013
【図１２】
2010161685.tif 000014
【図１３】
2010161685.tif 000015